(57)【特許請求の範囲】
【請求項１】
複数台の照明器具を信号線により接続し、該信号線を通して各照明器具間で種々の情報を授受して成る照明制御システムであって、前記照明器具は、調光レベルが可変な照明負荷と、周囲の状況を検出する検出手段と、前記信号線を介して種々の情報を授受する通信手段と、前記照明負荷の調光レベルを記憶する記憶手段と、前記検出手段の検出結果に基づいて前記照明負荷を制御する制御手段とを備えて成り、前記制御手段は、外部から指令が与えられると、前記照明負荷の調光レベルを、前記記憶手段に記憶している前記照明負荷の調光レベルが所定の範囲に入るか否かに応じた所定の調光レベルとするように前記照明負荷を制御することを特徴とする照明制御システム。
【請求項２】
複数台の照明器具を複数のグループにグループ分けするとともに属するグループの情報を前記記憶手段に記憶し、前記制御手段は、各グループに属する他の照明器具と連動して前記照明負荷を制御することを特徴とする請求項１記載の照明制御システム。
【発明の詳細な説明】
【０００１】
【発明の属する技術分野】
本発明は、複数台の照明器具を信号線により接続し、該信号線を通して各照明器具間で種々の情報を授受して成る照明制御システムに関するものである。
【０００２】
【従来の技術】
複数台の照明器具を信号線で接続して成る照明制御システムとして、図１２又は図１３に示すような構成を有するものがある。図１２に示すシステムでは、それぞれ固有のアドレスが設定された複数台の照明器具１０を信号線１１によって集中制御盤１２に接続し、集中制御盤１２がアドレスによって個々の照明器具１０を指定して照明負荷の光出力を可変する制御を行うとともに、各照明器具１０の動作状態（照明負荷の点灯・消灯など）や設定情報等を一元的に保持して管理している（いわゆる集中型）。
【０００３】
このような集中型の照明制御システムにおいては、複数台の照明器具にそれぞれ固有にアドレスが必要であり、各照明器具にアドレスを付与する作業に非常に手間がかかるという問題や、アドレスとオフィス等の照明空間内における各照明器具の設置場所との対応関係を知るには図面等を参照しなければならない場合が多く、管理が難しいといった問題、さらに、照明器具の台数が増えるに従ってアドレスや動作状態等を一元的に管理する集中制御盤１２の負担が増大し、コストアップや大型化してしまうという問題があった。
【０００４】
これに対して図１３に示すシステムでは、信号線２１で接続された複数台の照明器具２０は各自が保持している設定情報などに基づいて自己の動作を自ら制御するとともに、信号線２１を通して他の照明器具２０との間で授受する情報に基づいて複数台の照明器具２０が連動制御を行う（いわゆる分散型）。このシステムでは複数台の照明器具に固有のアドレスを設定する必要はなく、例えば共通のグループ番号が設定された照明器具間で信号線２１を介して情報を授受することにより、グループ毎に連動制御を行うことも可能である。
【０００５】
【発明が解決しようとする課題】
しかしながら、上記後者のシステム（分散型システム）においては、固有のアドレスを有しないために特定の照明器具を信号線を通してアドレス指定するようなことができず、特定の照明器具に対して設定情報の変更等を行う場合、当該照明器具の間近で発信器から送信されるワイヤレスのリモコン信号等を使って行わなければならないから各照明器具の動作状態等を一括して取得することができず、一元的な管理には不向きであった。
【０００６】
本発明は上記事情に鑑みて為されたものであり、その目的とするところは、固有のアドレスを有しない複数台の照明器具の動作状態に関する情報を一括して取得することが可能な照明制御システムを提供することにある。
【０００７】
【課題を解決するための手段】
請求項１の発明は、上記目的を達成するために、複数台の照明器具を信号線により接続し、該信号線を通して各照明器具間で種々の情報を授受して成る照明制御システムであって、前記照明器具は、調光レベルが可変な照明負荷と、周囲の状況を検出する検出手段と、前記信号線を介して種々の情報を授受する通信手段と、前記照明負荷の調光レベルを記憶する記憶手段と、前記検出手段の検出結果に基づいて前記照明負荷を制御する制御手段とを備えて成り、前記制御手段は、外部から指令が与えられると、前記照明負荷の調光レベルを、前記記憶手段に記憶している前記照明負荷の調光レベルが所定の範囲に入るか否かに応じた所定の調光レベルとするように前記照明負荷を制御することを特徴とし、外部から適当な指令を与えた場合の照明負荷の状態から各照明器具における照明負荷の調光レベルが所定の範囲に入るか否かを知ることができ、固有のアドレスを有しない複数台の照明器具の動作状態に関する情報を一括して取得することができる。
【００１９】
請求項２の発明は、請求項１の発明において、複数台の照明器具を複数のグループにグループ分けするとともに属するグループの情報を前記記憶手段に記憶し、前記制御手段は、各グループに属する他の照明器具と連動して前記照明負荷を制御することを特徴とし、請求項１の発明の作用に加えて、特定のグループに属する照明器具毎に周囲状況に関する情報を一括して取得することができる。
【００２７】
【発明の実施の形態】
本発明の実施形態について説明する前に、本発明に関連した参考例について説明する。
（参考例１）
本参考例における照明器具Ｘ１１…は、図１に示すように、ＣＰＵを主構成要素とする制御部１と、蛍光灯や白熱灯などの光源及び光源への供給電力を調節して光源の光出力が可変である照明負荷２と、周囲の状況として検知エリア内の人の存否を検出する人感センサ部３と、後述するように種々の情報（データ）を格納する記憶部４と、リモコン発信器Ｒとの間で赤外線によるリモコン信号の送受信を行うリモコン信号送受信部５と、信号線Ｌｓを通して他の照明器具Ｘｍｎとの間で情報の授受（データ通信）を行う通信部６と、各部に動作用の電源を供給する電源部７とを備え、照明空間の天井に配設されるものである。
【００２８】
人感センサ部３は人体から放射される熱線を検知する焦電素子を具備し、人の動きに応じた熱線量の変化から検知エリア内の人の存否を検出して、人が存在する場合に人体検出信号を制御部１に対して出力する。但し、人感センサ部３の構成はこれに限定する趣旨ではなく、他の方式、例えば超音波センサや振動センサを利用したものであっても良い。
【００２９】
記憶部４はＥＥＰＲＯＭからなり、電源オフ時にも記憶内容が保持される。また、制御部１はＣＰＵで実行するプログラムに従って動作し、人感センサ部３からの人体検出信号に応じて照明負荷２の光出力を可変する動作モード（以下、「センサモード」という）と、人感センサ部３の検出結果に関係なく照明負荷を定格点灯させる動作モード（以下、「連続モード」という）とを有する。
【００３０】
また、上記センサモードには、人感センサ部３から人体検出信号の入力があると所定の保持時間だけ照明負荷２を高い調光レベル（定格点灯時の光出力を１００％としたときの百分率で表す）で調光点灯する動作モード（以下、「センサＡモード」という）と、人感センサ部３から人体検出信号の入力がない場合に照明負荷２を低い調光レベルで調光点灯する動作モード（以下、「センサＢモード」という）とがある。ここで、センサモードと連続モードの切換は図示しないスイッチあるいはリモコン発信器Ｒを使って行うようにすればよい。なお、センサＡモード及びセンサＢモードにおける調光レベルは上記数値に限定されるものではなく、照明空間に応じて適当な値に設定すればよい。また、調光レベルの設定値や上記保持時間の設定値は随時動的に変更され得る情報として記憶部４に記憶される。
【００３１】
図２は本参考例のシステム構成例を示しており、複数台の照明器具Ｘij（i=1,2,3,、j=1,2,3,4,5,）を照明空間にマトリクス状に配設し、全ての照明器具Ｘijを信号線（図示せず）により接続してある。
【００３２】
ここで、照明器具Ｘ11…のセンサモードの動作を説明する。例えば照明器具Ｘ11が具備する人感センサ部３で人の存在が検出されず、人感センサ部３から制御部１に人体検出信号が入力されていなければ、制御部１はセンサＢモードで動作し記憶部４に記憶されている低い調光レベル（例えば、３０％）で照明負荷２を点灯させる。
【００３３】
一方、照明器具Ｘ11が具備する人感センサ部３で人の存在を検出して人感センサ部３から制御部１に人体検出信号が入力されると、制御部１はセンサＢモードからセンサＡモードに動作モードを移行し記憶部４に記憶されている高い調光レベル（例えば、１００％）で照明負荷２を点灯（定格点灯）させるとともに、記憶部４に記憶されている所定の保持時間（例えば、数分）のカウントを開始し、保持時間のカウントが終了したらセンサＢモードに移行して３０％の調光レベルで照明負荷２を点灯させる。なお、保持時間のカウント中に人感センサ部３から人体検出信号が入力されれば、制御部１はカウント値を初期化して再度保持時間のカウントを行う。すなわちセンサモードにおいては、検知エリア内に人が居れば照明負荷２の光出力を大きくして作業に適した照明環境が得られ、検知エリア内に人が居なければ照明負荷２の光出力を必要最低限とすることで省エネルギを図ることができる。
【００３４】
次に照明器具Ｘ11…の連続モードの動作を説明する。例えばリモコン発信器Ｒを操作して動作モードを連続モードに切り換えるリモコン信号を照明器具Ｘ11に送信すれば、照明器具Ｘ11ではリモコン信号送受信部５で上記リモコン信号を受信し制御部１にて動作モードがセンサモードから連続モードに切り換えられる。連続モードにおいては、制御部１が人感センサ部３から人体検出信号が入力されるか否かに関係なく調光レベルを１００％として照明負荷２を定格点灯させる。
【００３５】
ところで、従来技術で説明したように集中型のシステムでは複数台の照明器具２０に各々固有のアドレスが設定されているため、集中制御盤１２が固有アドレスを指定して各照明器具２０と通信することにより、個々の照明器具２０が何れの動作モード（例えば、連続モードとセンサモード）に設定されているかといった情報を一括して取得することができる。これに対して、本参考例における照明器具Ｘ１１…には固有のアドレスが設定されていないから、上記集中型のシステムのように集中制御盤１２によって動作モードの情報を一括して取得することはできない。
【００３６】
そこで本発明の照明制御システムにおいては、各照明器具Ｘ11…の制御部１が外部（例えばリモコン発信器Ｒ）から指令が与えられると記憶部４に記憶している動的に変更され得る情報（例えば動作モード）に対応した所定の状態となるように照明負荷２を制御することにより、各照明器具Ｘ11が現在何れの動作モードに設定されているかという情報を一括して取得することができる。以下、具体的な事例によって詳しく説明する。
【００３７】
図２にハッチングで示すように３台の照明器具Ｘ22，Ｘ23，Ｘ33が誰かによって連続モードに設定されたままセンサモードに戻されていないとする。このとき検知エリア内に人が居なくても上記３台の照明器具Ｘ22，Ｘ23，Ｘ33が定格点灯し続けるから、無駄な電力を消費することになり好ましくない。よって、本システムの管理を行う管理者等が上記３台の照明器具Ｘ22，Ｘ23，Ｘ33の動作モードをセンサモードに戻して省エネルギを図りたいと考え、リモコン発信器Ｒを使って動作モードをセンサモードに切り換える場合を考える。このとき、図２に示すような場所に人Ｈが居たとすると、人Ｈのいる場所を検知エリア内に含む３台の照明器具Ｘ21，Ｘ31，Ｘ32がセンサＡモードで動作して照明負荷２を定格点灯させる。なお、連続モードに設定されている上記３台の照明器具Ｘ22，Ｘ23，Ｘ33及びセンサＡモードで動作している上記３台の照明器具Ｘ21，Ｘ31，Ｘ32を除く他の照明器具Ｘ11…はセンサモードに設定されており、検知エリア内に人が存在しないことからセンサＢモードで動作している。
【００３８】
而して、センサＡモードの調光レベルが１００％に設定されているため、照明負荷２の点灯状態を見ただけでは定格点灯している上記６台の照明器具Ｘ21，Ｘ31，Ｘ32，Ｘ22，Ｘ23，Ｘ33のうちから連続モードで動作している３台の照明器具Ｘ22，Ｘ23，Ｘ33を区別することができない。
【００３９】
そこで、何れの照明器具Ｘijが連続モードに設定されているかを知るために、リモコン発信器Ｒを使って図３に示すようなフォーマットの指令（コマンド）を照明器具Ｘijに送信する。この指令は、指定する動作モードを示すモードデータＭＤと、モードデータＭＤで指定した動作モードに設定されている場合に行うべき動作を示す第１の動作データＦＤと、モードデータＭＤで指定した以外の動作モードに設定されている場合に行うべき動作を示す第２の動作データＫＤとを少なくとも含み、上記事例ではモードデータＭＤに連続モードを設定し、第１の動作データＦＤには調光レベルを１００％とする命令を設定するとともに第２の動作データＫＤには調光レベルを３０％とする命令を設定する。そして、このように設定されたコマンドを何れかの照明器具（例えばＸ11）に対してリモコン発信器Ｒから送信する。
【００４０】
一方、リモコン信号により上記コマンドを受信した照明器具Ｘ11では、制御部１が受信したコマンドをそのまま通信部６を介して信号線Ｌｓに送出して他の全ての照明器具Ｘ12…に回送する。そして、全ての照明器具Ｘijにおいて制御部１が受信したコマンドを解釈し、モードデータＭＤが現在の動作モードに一致する場合は第１の動作データＦＤに基づいて照明負荷２を定格点灯させ、一致しない場合は第２の動作データＫＤに基づいて照明負荷２を３０％の調光レベルで点灯させる。すなわち、連続モードに設定されている３台の照明器具Ｘ22，Ｘ23，Ｘ33は継続して照明負荷２を定格点灯させ、センサモードに設定されているその他の照明器具Ｘ11…は照明負荷２を３０％の調光レベルで点灯させる。
【００４１】
而して、連続モードに設定されている３台の照明器具Ｘ22，Ｘ23，Ｘ33のみが定格点灯し、それ以外の照明器具Ｘ11…が全て３０％の調光レベルで点灯することになるから、照明負荷２の明るさを見ただけで連続モードに設定されている照明器具Ｘ22，Ｘ23，Ｘ33を容易に判別することができる。
【００４２】
上述のように本参考例では、外部から適当な指令を与えた場合の照明負荷２の状態から各照明器具Ｘijにおける動的に変更され得る情報（動作モードなど）の内容を知ることができ、固有のアドレスを有しない複数台の照明器具Ｘijの動作状態に関する情報を一括して取得することができる。
【００４３】
（参考例２）
本参考例における照明器具Ｘijの構成は参考例１と同一であるから図示並びに説明は省略する。本参考例では、例えばオフィスビルの１フロアのような照明空間を会議室や廊下あるいは居室といったゾーンに分け、各ゾーンを照明する複数台の照明器具Ｘij（照明器具群）毎にグループ番号を付与している。このグループ番号は動作中に動的に変更されない情報として各照明器具Ｘijの記憶部４に記憶される。
【００４４】
本参考例の基本的な動作について説明する。例えばセンサモードにおいては、同一のグループ番号を有する照明器具Ｘijの内の少なくとも何れか１台の照明器具（例えば、Ｘ１１）が具備する人感センサ部３で人の存在を検知した場合、人感センサ部３から人体検出信号が入力された制御部１は、人体検出信号が入力されたことを示す情報（データ）を記憶部４に記憶されているグループ番号とともに通信部６から信号線Ｌｓに送出させ、センサＢモードからセンサＡモードに動作モードを移行し記憶部４に記憶されている調光レベル（例えば、１００％）で照明負荷２を点灯させる。
【００４５】
一方、信号線Ｌｓに送出された上記データを受信した他の照明器具Ｘ12…では、上記データに含まれるグループ番号が記憶部４に記憶されているグループ番号と一致するか否かを判断し、一致しなければ受信したデータの内容を破棄し、一致した場合には制御部１がセンサＢモードからセンサＡモードに動作モードを移行し記憶部４に記憶されている調光レベル（例えば、１００％）で照明負荷２を点灯させる。すなわち、同一グループに属する複数台の照明器具Ｘijは信号線Ｌｓを介して授受する情報に応じて互いに連動して動作する。
【００４６】
また、リモコン発信器Ｒを使ってグループ内の何れかの照明器具が連続モードに設定された場合、動作モードを連続モードに切り換えるためのデータ（コマンド）がリモコン信号を受信した照明器具から信号線Ｌｓを通して他の照明器具に送信され、同一グループの複数台の照明器具が一斉に連続モードに切り換えられる。
【００４７】
ここで、参考例１で説明した状況（図２参照）において、複数台の照明器具Ｘij（i=１〜３，ｊ＝１〜５）に同一のグループ番号が設定されているとする。この場合、図４に示すようにリモコン発信器Ｒから送信するコマンドの先頭にグループ番号を指定するグループデータＧＤを追加する。
【００４８】
而して、リモコン信号により上記コマンドを受信した照明器具（例えば、Ｘ１１）では、制御部１が受信したコマンドをそのまま通信部６を介して信号線Ｌｓに送出して他の全ての照明器具Ｘ１２…に回送する。そして、図示しない照明器具を含めて全ての照明器具において制御部１が受信したコマンドを解釈し、グループデータＧＤが記憶部４に記憶されているグループデータに一致しない場合には受信したコマンドを破棄する。一方、グループデータＧＤとグループ番号が一致した場合には、制御部１はコマンドに含まれるモードデータＭＤが現在の動作モードに一致するか否かを判断し、一致した場合は第１の動作データＦＤに基づいて照明負荷２を定格点灯させ、一致しない場合は第２の動作データＫＤに基づいて照明負荷２を３０％の調光レベルで点灯させる。その結果、参考例１で説明したように連続モードに設定されている３台の照明器具Ｘ２２，Ｘ２３，Ｘ３３のみが定格点灯し、それ以外の照明器具Ｘ１１…が全て３０％の調光レベルで点灯することになるから、照明負荷２の明るさを見ただけで連続モードに設定されている照明器具Ｘ２２，Ｘ２３，Ｘ３３を容易に判別することができる。
【００４９】
而して本参考例では、調べたい場所（一つのゾーン）に配設された各照明器具Ｘij（同一のグループ番号が付与された照明器具）における動的に変更され得る情報（動作モードなど）を一括して取得することができ、他の場所（他のグループ番号が付与されたゾーン）においては照明状態が維持される。このため、他の場所での人の作業を中断させる必要が無く、使い勝手が良くなるものである。
【００５０】
（参考例３）
本参考例における照明器具Ｘijの構成は参考例１と同一であるから図示並びに説明は省略する。
【００５１】
各照明器具Ｘijの記憶部４には、動的に変更され得る情報としてパラメータ、例えば上記保持時間の値が記憶される。そこで、各照明器具Ｘijの保持時間が正しく設定されているか否かを知るために、リモコン発信器Ｒを使って以下のようなフォーマットの指令（コマンド）を照明器具Ｘijに送信する。このコマンドは、保持時間の値を指定するパラメータデータと、パラメータデータの値と記憶部４に記憶されている保持時間の値が一致した場合に行うべき動作を示す第１の動作データと、パラメータデータの値と記憶部４に記憶されている保持時間の値が一致しない場合に行うべき動作を示す第２の動作データとを少なくとも含み、例えば、パラメータデータに保持時間の値として「５分」を設定し、第１の動作データには調光レベルを１００％とする命令を設定するとともに第２の動作データには調光レベルを３０％とする命令を設定する。そして、このように設定されたコマンドを何れかの照明器具（例えばＸ11）に対してリモコン発信器Ｒから送信する。
【００５２】
一方、リモコン信号により上記コマンドを受信した照明器具Ｘ11では、制御部１が受信したコマンドをそのまま通信部６を介して信号線Ｌｓに送出して他の全ての照明器具Ｘ12…に回送する。そして、全ての照明器具Ｘijにおいて制御部１が受信したコマンドを解釈し、パラメータデータの値が記憶部４に記憶されている保持時間の値に一致する場合は第１の動作データに基づいて照明負荷２を定格点灯させ、一致しない場合は第２の動作データに基づいて照明負荷２を３０％の調光レベルで点灯させる。すなわち、保持時間が「５分」に設定されている照明器具は照明負荷２を定格点灯させ、保持時間が「５分」に設定されていない照明器具は照明負荷２を３０％の調光レベルで点灯させる。
【００５３】
而して、保持時間が所望の値（上記例では「５分」）に設定されている照明器具のみが定格点灯し、保持時間の設定が誤っている照明器具が３０％の調光レベルで点灯することになるから、照明負荷２の明るさを見ただけで保持時間が誤った値に設定されている照明器具を目視で容易に見出すことができる。なお、参考例２と同様に上記コマンドの先頭にグループデータを追加すれば、参考例２と同様に、ゾーン内における各照明器具間のパラメータの一致性を容易に確認することができる。
【００５４】
（参考例４）
本参考例における照明器具Ｘijの構成は参考例１と同一であるから図示並びに説明は省略する。
【００５５】
参考例１においては各照明器具Ｘijにおける動作モードを点灯状態（調光レベル）の違いで判別するだけであったが、例えば「連続モードに設定されている場合には動作モードをセンサモードに切り換える」という内容の指令（コマンド）を送信し、各照明器具Ｘijの制御部１が受信したコマンドを解釈して動作モードが連続モードに設定されている場合はセンサモードに切り換えるようにしても良い。このようにすれば、参考例１で説明したように連続モードに設定されている照明器具を確認した後にそれらの照明器具の動作モードをセンサモードに切り換える作業が省略できるという利点がある。
【００５６】
なお、本参考例の場合、全ての照明器具Ｘijに対して「動作モードをセンサモードに切り換える」という内容のコマンドを送信しても結果的には同じであるが、例えばセンサモード以外の動作モード（例えば、各照明器具Ｘijの調光レベルを個別に設定し一斉に設定された調光レベルに切り換える、いわゆるシーンモード）があった場合に、上記シーンモードに設定されている照明器具の設定内容は変えずに、連続モードのみをセンサモードに変更したい場合などに本参考例が有効である。
【００５７】
（参考例５）
本参考例における照明器具Ｘijの構成は参考例１と同一であるから図示並びに説明は省略する。本参考例では、図５に示すように複数台の照明器具Ｘij（i=1,2,3,、j=1,2,3,4,5,）を照明空間にマトリクス状に配設し、全ての照明器具Ｘijを信号線（図示せず）により接続して参考例１と同様のシステム構成とし、各照明器具Ｘijの制御部１が、センサモードにおいてセンサＢモード（人が居ないとき）からセンサＡモード（人が居るとき）に遷移した回数を動的に変更され得る情報として記憶部４に記憶させている。
【００５８】
ここで、各照明器具Ｘijにおける上記遷移回数を知るために、リモコン発信器Ｒを使って図６に示すようなフォーマットの指令（コマンド）を照明器具Ｘijに送信する。この指令は、指定する情報（遷移回数）を示す指定データＳＤと、遷移回数に応じて行うべき動作を示す動作データＸＤとを少なくとも含む。なお、本参考例の場合、動作データＸＤは各照明器具Ｘijの記憶部４に予め記憶されているテーブルを参照することを示すデータである。このテーブルは、例えば図７に示すように遷移回数が０〜５の場合には消灯（０％の調光レベル）、６〜１０の場合には２０％の調光レベルで点灯、といったように遷移回数に応じて照明負荷２の点灯状態（調光レベル）を変えるように指定されている。
【００５９】
而して、このように設定されたコマンドを何れかの照明器具（例えばＸ11）に対してリモコン発信器Ｒから送信すると、リモコン信号により上記コマンドを受信した照明器具Ｘ11では、制御部１が受信したコマンドをそのまま通信部６を介して信号線Ｌｓに送出して他の全ての照明器具Ｘ12…に回送する。そして、全ての照明器具Ｘijにおいて制御部１が受信したコマンドを解釈し、記憶部４に記憶しているテーブルを参照し遷移回数に応じた調光レベルで照明負荷２を点灯あるいは消灯させる。すなわち、例えば、遷移回数が２回の照明器具Ｘ25，Ｘ35は照明負荷２を消灯させ、遷移回数が６回の照明器具Ｘ23，Ｘ24，Ｘ33，Ｘ34は照明負荷２を２０％の調光レベルで点灯させ、遷移回数が１５回の照明器具Ｘ11〜Ｘ15は照明負荷２を４０％の調光レベルで点灯させ、遷移回数が３０回の照明器具Ｘ21，Ｘ22，Ｘ31，Ｘ32は照明負荷２を定格点灯させる。
【００６０】
而して、各照明器具Ｘijの点灯状態からセンサモードの遷移回数を全体的に把握することができる。しかも、調光レベルの高い照明器具が配設されている場所では人の出入りが煩雑であるとか、調光レベルが低いあるいは消灯している照明器具の配設されている場所では人が滞在している可能性が高い等といった間接的な情報も取得することができる。
【００６１】
（参考例６）
本参考例における照明器具Ｘijの構成は参考例１と同一であるから図示並びに説明は省略する。
【００６２】
各照明器具Ｘijの制御部１では、動的に変更され得る情報として、センサモードにおいてセンサＡモードからセンサＢモードへ遷移した後に再びセンサＡモードに遷移するまでの時間、つまりセンサＢモードでの経過時間を記憶部４に記憶させている。但し、上記経過時間は多数の値が得られるから、単位時間当たりの経過時間の平均値（これを「消灯間隔」と呼ぶ）を記憶部４に記憶させておく。そして、各照明器具Ｘijの消灯間隔を知るために、リモコン発信器Ｒを使って以下のようなフォーマットの指令（コマンド）を照明器具Ｘijに送信する。このコマンドは、消灯間隔の範囲を指定するパラメータデータと、パラメータデータの範囲に記憶部４に記憶されている消灯間隔の値が入る場合に行うべき動作を示す第１の動作データと、パラメータデータの範囲に記憶部４に記憶されている消灯間隔の値が入らない場合に行うべき動作を示す第２の動作データとを少なくとも含み、例えば、パラメータデータに消灯間隔の範囲として「２秒以下」を設定し、第１の動作データには調光レベルを１００％とする命令を設定するとともに第２の動作データには調光レベルを３０％とする命令を設定する。そして、このように設定されたコマンドを何れかの照明器具（例えばＸ11）に対してリモコン発信器Ｒから送信する。
【００６３】
一方、リモコン信号により上記コマンドを受信した照明器具Ｘ11では、制御部１が受信したコマンドをそのまま通信部６を介して信号線Ｌｓに送出して他の全ての照明器具Ｘ12…に回送する。そして、全ての照明器具Ｘijにおいて制御部１が受信したコマンドを解釈し、記憶部４に記憶されている消灯間隔の値がパラメータデータの範囲に入る場合は第１の動作データに基づいて照明負荷２を定格点灯させ、入らない場合は第２の動作データに基づいて照明負荷２を３０％の調光レベルで点灯させる。すなわち、消灯間隔が２秒以下の照明器具は照明負荷２を定格点灯させ、消灯間隔が２秒を超える照明器具は照明負荷２を３０％の調光レベルで点灯させる。
【００６４】
而して、消灯間隔が所定の範囲（上記例では「２秒以下」）である照明器具のみが定格点灯し、消灯間隔が上記範囲を外れる照明器具が３０％の調光レベルで点灯することになるから、照明負荷２の明るさを見ただけで各照明器具の消灯間隔を全体に把握することができる。その結果、消灯間隔が短いということは人を検出した場合の保持時間の設定が適切でないという判断の目安となり、この場合には消灯間隔の短い照明器具に対して保持時間を長くするように設定値を変更した方が良いことが判る。
【００６５】
同様に、動的に変更され得る情報として、センサモードにおいてセンサＢモードからセンサＡモードへ遷移した後に再びセンサＢモードに遷移するまでの時間、つまりセンサＡモードでの経過時間の平均値（これを「点灯間隔」と呼ぶ）を記憶部４に記憶させても良い。そして、上記点灯間隔の値が所定値よりも小さいか大きいかに応じて調光レベルを変えて点灯させるコマンドをリモコン発信器Ｒから送信すれば、上述と同様にして照明負荷２の明るさを見ただけで各照明器具の点灯間隔を全体に把握することができる。その結果、点灯間隔が短いということは人を検出している時間が短い、すなわち、その照明器具が配設されている場所を人が通過しているという判断の目安となり、この場合には点灯間隔の短い照明器具に対して保持時間を短くするように設定値を変更した方が良いことが判る。
【００６６】
（参考例７）
本参考例における照明器具Ｘijの構成は参考例１と同一であるから図示並びに説明は省略する。本参考例では、図８に示すように複数台の照明器具Ｘij（i=1,2,3,、j=1,2,3,4,5,）を照明空間にマトリクス状に配設し、全ての照明器具Ｘijを信号線（図示せず）により接続して参考例１と同様のシステム構成とし、各照明器具Ｘijの制御部１が参考例５の遷移回数以外に、センサモードにおいて人感センサ部３から人体検出信号が入力された回数（人の存在を検出した検出回数）を動的に変更され得る情報として記憶部４に記憶させている（各照明器具Ｘijにおける検出回数の例を図８中に表記する）。
【００６７】
ここで、各照明器具Ｘijにおける上記検出回数を知るために、リモコン発信器Ｒを使って以下のようなフォーマットの指令（コマンド）を照明器具Ｘijに送信する。この指令は、指定する情報（検出回数）を示す指定データと、検出回数に応じて行うべき動作を示す動作データとを少なくとも含む。なお、本参考例の場合、動作データは各照明器具Ｘijの記憶部４に予め記憶されているテーブルを参照することを示すデータである。このテーブルは、例えば図９に示すように検出回数が０〜２０の場合には消灯（０％の調光レベル）、２１〜３０の場合には２０％の調光レベルで点灯、といったように検出回数に応じて照明負荷２の点灯状態（調光レベル）を変えるように指定されている。
【００６８】
而して、このように設定されたコマンドを何れかの照明器具（例えばＸ11）に対してリモコン発信器Ｒから送信すると、リモコン信号により上記コマンドを受信した照明器具Ｘ11では、制御部１が受信したコマンドをそのまま通信部６を介して信号線Ｌｓに送出して他の全ての照明器具Ｘ12…に回送する。そして、全ての照明器具Ｘijにおいて制御部１が受信したコマンドを解釈し、記憶部４に記憶しているテーブルを参照し検出回数に応じた調光レベルで照明負荷２を点灯あるいは消灯させる。例えば、検出回数が２０回未満の照明器具Ｘ25，Ｘ35は照明負荷２を消灯させ、検出回数が２１〜３０回の照明器具Ｘ11〜Ｘ15は照明負荷２を２０％の調光レベルで点灯させ、遷移回数が５１〜６０回の照明器具Ｘ23，Ｘ24，Ｘ33，Ｘ34は照明負荷２を８０％の調光レベルで点灯させ、遷移回数が６０回を超える照明器具Ｘ21，Ｘ22，Ｘ31，Ｘ32は照明負荷２を定格点灯（１００％の調光レベル）させる。
【００６９】
従って、各照明器具Ｘijの点灯状態から人感センサ部３の検出回数を全体的に把握することができる。しかも、調光レベルの高い照明器具が配設されている場所では人の出入りが煩雑であるとか、調光レベルが低いあるいは消灯している照明器具の配設されている場所では人が滞在している可能性が高い等といった間接的な情報も取得することができる。
【００７０】
また、参考例５で説明した遷移回数の情報を併用することにより、遷移回数が多く且つ検出回数が少なく場合は当該照明器具の設置場所が通路などであり、遷移回数が多く且つ検出回数も多い場合は検出漏れ等の発生があり、遷移回数が少なく且つ検出回数も少ない場合は当該照明器具の設置場所に人がほとんど居なく、遷移回数が少なく且つ検出回数が多い場合は当該照明器具の設置場所に人が滞在している、というように更に詳しい情報を一括して取得することができ、各状況に応じたパラメータ（保持時間など）の設定を行うことでより一層の省エネルギが図れる。特に、遷移回数と検出回数がともに多い場合の検出漏れとは、人が静止している場合には検出することができないという焦電型の人感センサ部３の特徴であり、このような場合には保持時間を適切に設定する必要がある。本参考例ではこのような人感センサ部３の検出漏れの発生等も容易に知ることができる。
【００７１】
（参考例８）
本参考例における照明器具Ｘijの構成は参考例１と同一であるから図示並びに説明は省略する。
【００７２】
各照明器具Ｘijの制御部１では、動的に変更され得る情報として、センサモードにおいてセンサＡモードで動作している時間、すなわち照明負荷２が定格点灯している延べ時間（以下、「点灯時間」と呼ぶ）を記憶部４に記憶させている。そして、各照明器具Ｘijの点灯時間を知るために、リモコン発信器Ｒを使って以下のようなフォーマットの指令（コマンド）を照明器具Ｘijに送信する。このコマンドは、点灯時間の範囲を指定するパラメータデータと、パラメータデータの範囲に記憶部４に記憶されている点灯時間の値が入る場合に行うべき動作を示す第１の動作データと、パラメータデータの範囲に記憶部４に記憶されている点灯時間の値が入らない場合に行うべき動作を示す第２の動作データとを少なくとも含み、例えば、パラメータデータに点灯時間の範囲として「２００時間以上」を設定し、第１の動作データには調光レベルを１００％とする命令を設定するとともに第２の動作データには調光レベルを３０％とする命令を設定する。そして、このように設定されたコマンドを何れかの照明器具（例えばＸ11）に対してリモコン発信器Ｒから送信する。
【００７３】
一方、リモコン信号により上記コマンドを受信した照明器具Ｘ11では、制御部１が受信したコマンドをそのまま通信部６を介して信号線Ｌｓに送出して他の全ての照明器具Ｘ12…に回送する。そして、全ての照明器具Ｘijにおいて制御部１が受信したコマンドを解釈し、記憶部４に記憶されている点灯時間の値がパラメータデータの範囲に入る場合は第１の動作データに基づいて照明負荷２を定格点灯させ、入らない場合は第２の動作データに基づいて照明負荷２を３０％の調光レベルで点灯させる。すなわち、点灯時間が２００時間以上の照明器具は照明負荷２を定格点灯させ、点灯時間が２００時間未満の照明器具は照明負荷２を３０％の調光レベルで点灯させる。
【００７４】
而して、点灯時間が所定の範囲（上記例では「２００時間以上」）である照明器具のみが定格点灯し、点灯時間が上記範囲を外れる照明器具が３０％の調光レベルで点灯することになるから、照明負荷２の明るさを見ただけで各照明器具の点灯時間を全体に把握することができる。さらに、参考例７で説明した検出回数を参照すれば、人が居ないにもかかわらず長時間点灯しているというようなことも判るので、そのような情報に基づいて保持時間等のパラメータの調整を行うことができる。
【００７５】
同様に、動的に変更され得る情報として、センサモードにおいてセンサＢモードで動作している時間、すなわち照明負荷２が３０％の調光レベルで点灯している延べ時間を記憶部４に記憶させても良く、上記時間が所定値よりも小さいか大きいかに応じて調光レベルを変えて点灯させるコマンドをリモコン発信器Ｒから送信すれば、上述と同様にして照明負荷２の明るさを見ただけで各照明器具がどれだけ省エネルギの動作を行ったかということが概略で把握できる。
【００７６】
また、点灯時間の代わりに制御部１に照明負荷２における消費電力を計測する機能を持たせ、この消費電力の値を動的に変更され得る情報として記憶部４に記憶させておき、上述の点灯時間の場合と同様に各照明器具の消費電力の情報を一括して取得するようにすれば、よりきめ細かく動作状態を把握することができる。なお、消費電力の計測は従来周知の技術を用いて実現可能であるから詳しい説明は省略する。
【００７７】
（参考例９）
本参考例における照明器具Ｘijの構成は参考例１と同一であるから図示並びに説明は省略する。
【００７８】
各照明器具Ｘijの制御部１では、動的に変更され得る情報として、過去何分間における人の検出の有無（人感センサ部３から制御部１に人体検出信号が入力されたか否か）を記憶部４に記憶させている。そして、各照明器具Ｘijの上記情報を知るために、リモコン発信器Ｒを使って以下のようなフォーマットの指令（コマンド）を照明器具Ｘijに送信する。このコマンドは、過去何分間に人を検出したことを指定するパラメータデータと、過去何分間に人を検出している場合に行うべき動作を示す第１の動作データと、過去何分間に人を検出していない場合に行うべき動作を示す第２の動作データとを少なくとも含み、例えば、パラメータデータに「過去５分間」を設定し、第１の動作データには調光レベルを１００％とする命令を設定するとともに第２の動作データには調光レベルを３０％とする命令を設定する。そして、このように設定されたコマンドを何れかの照明器具（例えばＸ11）に対してリモコン発信器Ｒから送信する。
【００７９】
一方、リモコン信号により上記コマンドを受信した照明器具Ｘ11では、制御部１が受信したコマンドをそのまま通信部６を介して信号線Ｌｓに送出して他の全ての照明器具Ｘ12…に回送する。そして、全ての照明器具Ｘijにおいて制御部１が受信したコマンドを解釈し、過去５分間に人が検出されたことが記憶部４に記憶されている場合は第１の動作データに基づいて照明負荷２を定格点灯させ、記憶されていない場合は第２の動作データに基づいて照明負荷２を３０％の調光レベルで点灯させる。すなわち、過去５分間に人が検出された照明器具は照明負荷２を定格点灯させ、検出されていない照明器具は照明負荷２を３０％の調光レベルで点灯させる。
【００８０】
而して、過去５分間に人が検出された照明器具のみが定格点灯し、検出されなかった照明器具が３０％の調光レベルで点灯することになるから、照明負荷２の明るさを見ただけで各照明器具における過去５分間の人の検出状況を全体に把握することができる。この情報から、照明器具が設置されている場所の人の出入り状況を把握することができる。
【００８１】
（参考例１０）
本参考例における照明器具Ｘijの構成は参考例１と同一であるから図示並びに説明は省略する。
【００８２】
本参考例では、各照明器具Ｘijの制御部１が動的に変更され得る情報として、参考例９と同様に過去何分間における人の検出の有無を記憶部４に記憶させるとともに、参考例２と同様に動作中に動的に変更されない情報として、各ゾーンに対応するグループ番号を記憶部４に記憶させている。
【００８３】
そして、各照明器具Ｘijの上記情報を知るために、リモコン発信器Ｒを使って参考例９で説明したフォーマットの指令（コマンド）を何れかの照明器具（例えばＸ１１）に対してリモコン発信器Ｒから送信すると、リモコン信号により上記コマンドを受信した照明器具Ｘ１１では、制御部１が受信したコマンドをそのまま通信部６を介して信号線Ｌｓに送出して他の全ての照明器具Ｘ１２…に回送する。そして、参考例９と同様に全ての照明器具Ｘijにおいて制御部１が受信したコマンドを解釈し、過去５分間に人が検出されたことが記憶部４に記憶されている場合は第１の動作データに基づいて照明負荷２を定格点灯させ、記憶されていない場合は第２の動作データに基づいて照明負荷２を３０％の調光レベルで点灯させる。さらに、過去５分間に人が検出された照明器具Ｘ１２…では制御部１が記憶部４に記憶されているグループ番号を通信部６から信号線Ｌｓに送出する。このとき通信部６では信号線Ｌｓを監視し、複数台の照明器具Ｘ１２…からの送信が衝突しないように信号線Ｌｓ上に信号が伝送されていないときに通信を行う。
【００８４】
また、リモコン信号を受信した照明器具Ｘ11の制御部１は、信号線Ｌｓを通して他の照明器具Ｘ12…から送信されてくるグループ番号を受信すると、受信したグループ番号のデータをリモコン信号送受信部５より赤外線のリモコン信号としてリモコン発信器Ｒに随時送信する。
【００８５】
一方、照明器具Ｘ11から送信されたリモコン信号を受信したリモコン発信器Ｒでは、液晶ディスプレイ等からなる表示部（図示せず）にリモコン信号に含まれているグループ番号を一覧で表示する。これにより、ゾーン単位での人の出入りに関する情報がリモコン発信器Ｒを使って手元で確認することができ、非常に使い勝手の良いものである。
【００８６】
（実施形態１）
本実施形態における照明器具Ｘ１１…は、図１０に示すように人感センサ部３の代わりに周囲の明るさ（周囲照度）を検出する照度センサ部８を備えた点に特徴があり、それ以外の基本的な構成は参考例１と同一であるから説明を省略する。なお、照度センサ部８はＣｄＳのような光電変換素子を具備し、周囲の明るさに応じたレベルの電圧信号を制御部１に対して出力するものである。また、制御部１はＣＰＵで実行するプログラムに従って動作し、照度センサ部８から出力される電圧信号のレベル（以下、「検出レベル」という）に応じて照明負荷２の調光レベルを可変する動作モードを有している。例えば、調光レベルを５０％から１００％の間で数段階に分け、検出レベルが最も低い（周囲が暗い）ときには調光レベルを１００％とし、検出レベルが最も高い（周囲が明るい）ときには調光レベルを５０％とし、検出レベルがその間の値であるときは調光レベルを５０％〜１００％の間の何れかの段階の値とする。これにより、周囲が明るいときに照明負荷２の光出力を低下させることで省エネルギを図っている。
【００８７】
ここで、制御部１は現在の調光レベルを動的に変化され得る情報として記憶部４に記憶させており、各照明器具Ｘijの現在の調光レベルを知るために、リモコン発信器Ｒを使って以下のようなフォーマットの指令（コマンド）を照明器具Ｘijに送信する。このコマンドは、調光レベルの範囲を指定するパラメータデータと、パラメータデータの範囲に記憶部４に記憶されている現在の調光レベルの値が入る場合に行うべき動作を示す第１の動作データと、パラメータデータの範囲に記憶部４に記憶されている現在の調光レベルの値が入らない場合に行うべき動作を示す第２の動作データとを少なくとも含み、例えば、パラメータデータに調光レベルの範囲として「５０％以下」を設定し、第１の動作データには調光レベルを１００％とする命令を設定するとともに第２の動作データには調光レベルを３０％とする命令を設定する。そして、このように設定されたコマンドを何れかの照明器具（例えばＸ11）に対してリモコン発信器Ｒから送信する。
【００８８】
一方、リモコン信号により上記コマンドを受信した照明器具Ｘ11では、制御部１が受信したコマンドをそのまま通信部６を介して信号線Ｌｓに送出して他の全ての照明器具Ｘ12…に回送する。そして、全ての照明器具Ｘijにおいて制御部１が受信したコマンドを解釈し、記憶部４に記憶されている現在の調光レベルの値がパラメータデータの範囲に入る場合は第１の動作データに基づいて照明負荷２を定格点灯させ、入らない場合は第２の動作データに基づいて照明負荷２を３０％の調光レベルで点灯させる。すなわち、現在の調光レベルが５０％以下の照明器具は照明負荷２を定格点灯させ、５０％を超える照明器具は照明負荷２を３０％の調光レベルで点灯させる。
【００８９】
而して、現在の調光レベルが所定の範囲（上記例では「５０％以下」）である照明器具のみが定格点灯し、調光レベルが上記範囲を外れる照明器具が３０％の調光レベルで点灯することになるから、照明負荷２の明るさを見ただけで各照明器具における調光レベルを全体に把握することができる。その結果、調光レベルが小さい照明器具、すなわち省エネルギにより貢献している照明器具を容易に判別することができる。
【００９０】
（実施形態２）
本実施形態における照明器具Ｘijの構成は実施形態１と同一であるから図示並びに説明は省略する。
【００９１】
本実施形態では、リモコン発信器Ｒから送信される検出レベル確認コマンドを受信すると、各照明器具Ｘijの制御部１が照明負荷２を消灯させたときの照度センサ部８の検出レベル（電圧レベル）を動的に変更され得る情報として記憶部４に記憶させる。
【００９２】
ここで上記検出レベル確認コマンドは、上述のような手順で消灯時の検出レベルを記憶部４に記憶させる内容のコマンドデータと、記憶部４に記憶させた消灯時の検出レベルに応じて行うべき動作を示す動作データとを少なくとも含む。なお、本実施形態の場合、動作データは各照明器具Ｘijの記憶部４に予め記憶されているテーブルを参照することを示すデータである。このテーブルは、例えば図１１に示すように検出レベル（単位ボルト）が０〜１の場合には消灯（０％の調光レベル）、１〜２の場合には２０％の調光レベルで点灯、といったように検出レベルに応じて照明負荷２の点灯状態（調光レベル）を変えるように指定されている。
【００９３】
而して、このように設定された検出レベル確認コマンドを何れかの照明器具（例えばＸ11）に対してリモコン発信器Ｒから送信すると、リモコン信号により上記検出レベル確認コマンドを受信した照明器具Ｘ11では、制御部１が受信した検出レベル確認コマンドをそのまま通信部６を介して信号線Ｌｓに送出して他の全ての照明器具Ｘ12…に回送する。そして、全ての照明器具Ｘijにおいて制御部１が受信した検出レベル確認コマンドを解釈して上述の手順で消灯時の検出レベルを記憶部４に記憶させるとともに、記憶部４に記憶しているテーブルを参照し上記消灯時の検出レベルに応じた調光レベルで照明負荷２を点灯あるいは消灯させる。
【００９４】
従って、各照明器具Ｘijの点灯状態から、照明負荷２以外の光（太陽光の反射や他の建物が発する光など）がどの程度、どの位置まで進入しているかの概略を把握することができ、各照明器具Ｘijにおける調光レベルの調整に反映させることができる。
【００９５】
（実施形態３）
本実施形態における照明器具Ｘijの構成は実施形態１と同一であるから図示並びに説明は省略する。本実施形態では、各照明器具Ｘijの制御部１が、リモコン発信器Ｒからリモコン信号を受信した回数（受信回数）を動的に変更され得る情報として記憶部４に記憶させている。なお、受信回数としてカウントするリモコン信号の内容は、照度センサ部８の検出レベルに応じた調光レベルの設定等のためのコマンドであって、施工者や管理者のみが使用するような設定情報を含むコマンドではない。
【００９６】
ここで、各照明器具Ｘijにおける上記受信回数を知るために、リモコン発信器Ｒを使って以下のようなフォーマットの指令（コマンド）を照明器具Ｘijに送信する。この指令は、上記受信回数の範囲を指定するパラメータデータと、パラメータデータの範囲に記憶部４に記憶されている受信回数の値が入る場合に行うべき動作を示す第１の動作データと、パラメータデータの範囲に記憶部４に記憶されている受信回数の値が入らない場合に行うべき動作を示す第２の動作データとを少なくとも含み、例えば、パラメータデータに受信回数の範囲として「５回以上」を設定し、第１の動作データには調光レベルを１００％とする命令を設定するとともに第２の動作データには調光レベルを３０％とする命令を設定する。そして、このように設定されたコマンドを何れかの照明器具（例えばＸ11）に対してリモコン発信器Ｒから送信する。
【００９７】
一方、リモコン信号により上記コマンドを受信した照明器具Ｘ11では、制御部１が受信したコマンドをそのまま通信部６を介して信号線Ｌｓに送出して他の全ての照明器具Ｘ12…に回送する。そして、全ての照明器具Ｘijにおいて制御部１が受信したコマンドを解釈し、記憶部４に記憶されている受信回数の値がパラメータデータの範囲に入る場合は第１の動作データに基づいて照明負荷２を定格点灯させ、入らない場合は第２の動作データに基づいて照明負荷２を３０％の調光レベルで点灯させる。すなわち、受信回数が５回以上の照明器具は照明負荷２を定格点灯させ、受信回数が５回未満の照明器具は照明負荷２を３０％の調光レベルで点灯させる。
【００９８】
而して、受信回数が所定の範囲（上記例では「５回以上」）である照明器具のみが定格点灯し、点灯時間が上記範囲を外れる照明器具が３０％の調光レベルで点灯することになるから、照明負荷２の明るさを見ただけで各照明器具のリモコン信号の受信回数を全体に把握することができる。ここで、リモコン信号の受信回数が多いということは、使用者が煩雑に動作の変更を行っていることを示しており、某かのパラメータの設定値が使用状況に適していない可能性があると判断できる。その結果、リモコン信号の受信回数を把握することによってパラメータの見直しの必要性を判断することができる。
【００９９】
（実施形態４）
本実施形態における照明器具Ｘijの構成は実施形態１と同一であるから図示並びに説明は省略する。
【０１００】
本実施形態では、各照明器具Ｘijの制御部１が異常（例えば、照度センサ部８の検出レベルが常時ゼロとなるような状態）の有無を動的に変更され得る情報として記憶部４に記憶させる。
【０１０１】
ここで、各照明器具Ｘijにおける上記異常の有無を知るために、リモコン発信器Ｒを使って以下のようなフォーマットの指令（コマンド）を照明器具Ｘijに送信する。この指令は、異常が発生していない場合に行うべき動作を示す第１の動作データと、異常が発生している場合に行うべき動作を示す第２の動作データとを少なくとも含み、例えば、第１の動作データには調光レベルを１００％とする命令を設定するとともに第２の動作データには調光レベルを３０％とする命令を設定する。そして、このように設定されたコマンドを何れかの照明器具（例えばＸ11）に対してリモコン発信器Ｒから送信する。
【０１０２】
一方、リモコン信号により上記コマンドを受信した照明器具Ｘ11では、制御部１が受信したコマンドをそのまま通信部６を介して信号線Ｌｓに送出して他の全ての照明器具Ｘ12…に回送する。そして、全ての照明器具Ｘijにおいて制御部１が受信したコマンドを解釈し、記憶部４に記憶されているデータが異常の無しの場合は第１の動作データに基づいて照明負荷２を定格点灯させ、異常有りの場合は第２の動作データに基づいて照明負荷２を３０％の調光レベルで点灯させる。すなわち、照明器具Ｘijに照度センサ部８の動作不良等の異常が発生していない照明器具は照明負荷２を定格点灯させ、異常が発生している照明器具は照明負荷２を３０％の調光レベルで点灯させる。
【０１０３】
而して、異常発生無しの照明器具のみが定格点灯し、異常発生有りの照明器具が３０％の調光レベルで点灯することになるから、照明負荷２の明るさを見ただけで各照明器具における異常発生の有無を全体に把握することができ、異常発生に対して迅速な対応をとることができる。なお、異常の内容は照度センサ部８の異常に限定されるものではなく、例えば記憶部４に記憶されている種々の情報の異常であっても同様の効果を奏する。
【０１０４】
【発明の効果】
請求項１の発明は上述のように、複数台の照明器具を信号線により接続し、該信号線を通して各照明器具間で種々の情報を授受して成る照明制御システムであって、前記照明器具は、調光レベルが可変な照明負荷と、周囲の状況を検出する検出手段と、前記信号線を介して種々の情報を授受する通信手段と、前記照明負荷の調光レベルを記憶する記憶手段と、前記検出手段の検出結果に基づいて前記照明負荷を制御する制御手段とを備えて成り、前記制御手段は、外部から指令が与えられると、前記照明負荷の調光レベルを、前記記憶手段に記憶している前記照明負荷の調光レベルが所定の範囲に入るか否かに応じた所定の調光レベルとするように前記照明負荷を制御するので、外部から適当な指令を与えた場合の照明負荷の状態から照明負荷の調光レベルが所定の範囲に入るか否かを知ることができ、固有のアドレスを有しない複数台の照明器具の動作状態に関する情報を一括して取得することができるという効果がある。
【０１２２】
請求項２の発明は、請求項１の発明において、複数台の照明器具を複数のグループにグループ分けするとともに属するグループの情報を前記記憶手段に記憶し、前記制御手段は、各グループに属する他の照明器具と連動して前記照明負荷を制御するので、請求項１の発明の効果に加えて、特定のグループに属する照明器具毎に照明負荷の調光レベルに関する情報を一括して取得することができるという効果がある。
【図面の簡単な説明】
【図１】  参考例１を示すブロック図である。
【図２】  同上のシステム構成図である。
【図３】  同上におけるコマンドの説明図である。
【図４】  参考例２におけるコマンドの説明図である。
【図５】  参考例５のシステム構成図である。
【図６】  同上におけるコマンドの説明図である。
【図７】  同上の動作説明図である。
【図８】  参考例７のシステム構成図である。
【図９】  同上の動作説明図である。
【図１０】  実施形態１を示すブロック図である。
【図１１】  実施形態２の動作説明図である。
【図１２】  従来例のシステム構成図である。
【図１３】  他の従来例のシステム構成図である。
【符号の説明】
Ｘij  照明器具
１  制御部
２  照明負荷
３  人感センサ部
４  記憶部
５  リモコン信号送受信部
６  通信部
Ｌｓ  信号線
【図１】
0003985404.tif 000002
【図２】
0003985404.tif 000003
【図３】
0003985404.tif 000004
【図４】
0003985404.tif 000005
【図５】
0003985404.tif 000006
【図６】
0003985404.tif 000007
【図７】
0003985404.tif 000008
【図８】
0003985404.tif 000009
【図９】
0003985404.tif 000010
【図１０】
0003985404.tif 000011
【図１１】
0003985404.tif 000012
【図１２】
0003985404.tif 000013
【図１３】
0003985404.tif 000014